(57)【要約】【課題】電波の放射特性の悪化を軽減することができるアンテナおよび読取システムを提供する。【解決手段】アンテナは、無線タグを読み取る第１の読取装置のアンテナであって、アンテナ素子と、第１の導体と、第２の導体とを備える。前記アンテナ素子は、一の頂点から２方向に分岐する。前記第１の導体は、前記アンテナ素子の底面を覆う。前記第２の導体は、前記アンテナ素子の側面の一部を覆う。【選択図】図３
2019140549.tif 000002
【特許請求の範囲】
【請求項１】
無線タグを読み取る第１の読取装置のアンテナであって、
一の頂点から２方向に分岐したアンテナ素子と、
前記アンテナ素子の底面を覆う第１の導体と、
前記アンテナ素子の側面の一部を覆う第２の導体と、
を備えるアンテナ。
【請求項２】
前記アンテナ素子は、前記頂点の角度が略直角である、
請求項１に記載のアンテナ。
【請求項３】
２方向に分岐した各方向に信号を出力する分岐回路を備える、
請求項１に記載のアンテナ。
【請求項４】
無線タグを読み取る第１の読取装置と、第２の読取装置とを備える読取システムであって、
前記第１の読取装置は、
一の頂点から２方向に分岐したアンテナ素子と、
前記アンテナ素子の底面を覆う第１の導体と、
前記アンテナ素子の側面の一部を覆う第２の導体と、
を備え、
前記第２の読取装置は、
前記アンテナ素子の前記頂点の内側に配置される、
読取システム。
【請求項５】
前記第２の読取装置は、コードシンボルを読み取る読取装置である、
請求項４に記載の読取システム。
【発明の詳細な説明】
【技術分野】
【０００１】
本発明の実施形態は、アンテナおよび読取システムに関する。
【背景技術】
【０００２】
従来、ＲＦＩＤ（Radio  Frequency  Identification）タグや、電子タグや、応答器と呼ばれる無線タグに記憶されている情報を読み書きする無線タグ読取装置が知られている。
【０００３】
例えば、無線タグは、カードやスマートフォン等の携帯可能な物品に埋め込まれる。そして、無線タグ読取装置は、無線タグが埋め込まれた物品がアンテナにかざされた場合に、無線タグと無線通信を実行する。これにより、無線タグ読取装置は、無線タグに記憶されている情報の読み書きを実行する。
【０００４】
しかしながら、人間の手は誘電体である。そのため、アンテナは、手がアンテナに近づけられると、電波の放射特性が阻害されてしまう。そこで、無線タグが手に持ってアンテナにかざされた場合であっても、アンテナが放射する電波の放射特性の悪化を軽減させる技術が望まれている。
【発明の概要】
【発明が解決しようとする課題】
【０００５】
電波の放射特性の悪化を軽減することができるアンテナおよび読取システムを提供することである。
【課題を解決するための手段】
【０００６】
実施形態のアンテナは、無線タグを読み取る第１の読取装置のアンテナであって、アンテナ素子と、第１の導体と、第２の導体とを備える。前記アンテナ素子は、一の頂点から２方向に分岐する。前記第１の導体は、前記アンテナ素子の底面を覆う。前記第２の導体は、前記アンテナ素子の側面の一部を覆う。
【図面の簡単な説明】
【０００７】
【図１】図１は、本実施形態にかかる読取システムの構成の一例を説明する説明図である。
【図２】図２は、アンテナの外観構成の一例を示す斜視図である。
【図３】図３は、第１アンテナ素子、及び第２アンテナ素子に流れる電流の方向の一例を説明する説明図である。
【図４】図４は、アンテナが形成する読取領域の一例を説明する正面図である。
【図５】図５は、アンテナが形成する読取領域の一例を説明する左側側面図である。
【図６】図６は、ＰＯＳ端末のハードウェア構成の一例を示すブロック図である。
【図７】図７は、コードシンボル読取装置のハードウェア構成の一例を示すブロック図である。
【図８】図８は、無線タグ読取装置のハードウェア構成の一例を示すブロック図である。
【図９】図９は、無線タグのハードウェア構成の一例を示すブロック図である。
【図１０】図１０は、読取システムが備える各装置特徴的な機能構成の一例を示すブロック図である。
【発明を実施するための形態】
【０００８】
以下、添付図面を参照して、アンテナおよび読取システムの実施形態を詳細に説明する。なお、以下に説明する実施形態は、アンテナおよび読取システムの一実施形態であって、その構成や仕様等を限定するものではない。本実施形態のアンテナおよび読取システムは、例えばスーパーマーケット等の店舗において、無線タグと電波を送受信するアンテナと接続されたＰＯＳ（Point  Of  Sales）端末への適用例である。
【０００９】
図１は、本実施形態にかかる読取システム１の構成の一例を説明する説明図である。読取システム１は、ＰＯＳ端末１０と、コードシンボル読取装置２０と、無線タグ読取装置３０とを備えている。ＰＯＳ端末１０は、コードシンボル読取装置２０、及び無線タグ読取装置３０と通信可能に接続されている。読取システム１は、各装置により物品４が備えているコードシンボル４１又は物品４が備えている無線タグ４２を読み取る。
【００１０】
ＰＯＳ端末１０は、販売対象の商品を登録する販売登録と、販売登録により登録された商品の会計処理とを実行する情報処理装置である。また、ＰＯＳ端末１０は、コードシンボル読取装置２０、及び無線タグ読取装置３０に読取対象の読取処理の実行を要求する。そして、ＰＯＳ端末１０は、コードシンボル読取装置２０、及び無線タグ読取装置３０から読取処理の実行結果を受信する。
【００１１】
コードシンボル読取装置２０は、第２の読取装置の一例である。コードシンボル読取装置２０は、バーコードや、２次元コード等のコードシンボル４１を読み取る読取装置である。コードシンボル読取装置２０は、例えばレーザ光を照射して反射光によりコードシンボル４１を読み取る。コードシンボル読取装置２０は、ＰＯＳ端末１０から読取処理の実行要求を受信した場合に読取処理を実行する。そして、コードシンボル読取装置２０は、読取処理による読取結果をＰＯＳ端末１０に送信する。
【００１２】
無線タグ読取装置３０は、第１の読取装置の一例である。無線タグ読取装置３０は、ＲＦＩＤ（Radio  Frequency  Identification）タグや、電子タグや、応答器と呼ばれる無線タグ４２と無線通信を実行することで、無線タグ４２に各種情報の読み書きを実行する読取装置である。無線タグ読取装置３０は、ＰＯＳ端末１０から読取処理の実行要求を受信した場合に、無線タグ４２を読み取る電波を送信する。また、無線タグ読取装置３０は、無線タグ４２が記憶している各種情報を、無線タグ４２から受信する。このようにして、無線タグ読取装置３０は、読取処理を実行する。そして、無線タグ読取装置３０は、読取処理による読取結果をＰＯＳ端末１０に送信する。
【００１３】
次に、無線タグ読取装置３０が備えているアンテナ３１について説明する。ここで、図２は、アンテナ３１の外観構成の一例を示す斜視図である。
【００１４】
アンテナ３１は、中空部３１２を有する矩形形状の筐体３１１を備えている。中空部３１２には、コードシンボル読取装置２０が配置される。コードシンボル読取装置２０は、例えば図２の正面や左側面に向けてコードシンボル４１を読み取るレーザ光を照射する。また、図２に示す中空部３１２は、矩形形状であるが、円形であってもよいし、コードシンボル読取装置２０の形状に合わせた形状であってもよい。
【００１５】
アンテナ３１は、筐体３１１の内部に、一の頂点から２方向に分岐したアンテナ素子３１３を備えている。アンテナ素子３１３は、例えば基板上に形成される基板アンテナである。以下、図２に示すＸ方向に伸びたアンテナ素子３１３を第１アンテナ素子３１４と呼称する。また、図２に示すＹ方向に伸びたアンテナ素子３１３を第２アンテナ素子３１５と呼称する。
【００１６】
本実施形態では、無線タグ読取装置３０は、無線タグ４２をかざす操作者から見て、操作者の右側前方に配置されることを想定している。そして、操作者は、右手に無線タグ４２を持ち、無線タグ４２をアンテナ３１の上方から無線タグ４２をかざすことを想定している。この場合、操作者は、筐体３１１の前方の辺、又は左側の辺の方向から、無線タグ４２をかざす。そこで、無線タグ読取装置３０は、筐体３１１の前方の辺、又は左側の辺の方向から進入した手が所持している無線タグ４２を読み取ることを想定している。
【００１７】
次に、アンテナ素子３１３について詳細について説明する。
【００１８】
図３は、第１アンテナ素子３１４、及び第２アンテナ素子３１５に流れる電流の方向の一例を説明する説明図である。図４は、アンテナ３１が形成する読取領域の一例を説明する正面図である。図５は、アンテナ３１が形成する読取領域の一例を説明する左側側面図である。
【００１９】
第１アンテナ素子３１４は、Ｘ方向に長い矩形形状になっている。第２アンテナ素子３１５は、Ｙ方向に長い矩形形状になっている。そして、第１アンテナ素子３１４と、第２アンテナ素子３１５とは、頂点を共有する共役角を形成している。さらに詳しくは、第１アンテナ素子３１４と、第２アンテナ素子３１５とは、一の頂点の角度が略直角を形成するように配置される。
【００２０】
アンテナ素子３１３は、底面が底面導体部３１６により覆われている。底面導体部３１６は、第１の導体の一例である。また、アンテナ素子３１３は、アンテナ素子３１３の側面の一部が側面導体部３１７に覆われている。さらに詳しくは、第１アンテナ素子３１４と、第２アンテナ素子３１５とが形成する共有角のうち優角側の側面が側面導体部３１７により覆われている。側面導体部３１７は、第２の導体の一例である。底面導体部３１６、及び側面導体部３１７は、金属等の導体により形成されている。
【００２１】
そして、第１アンテナ素子３１４には、Ｘ方向、つまり第１アンテナ素子３１４の長手方向に高周波信号電流が流れている。よって、第１アンテナ素子３１４には、高周波信号電流が流れている方向と直交する方向、つまりＹ方向に直線偏波を放射する。また、第２アンテナ素子３１５には、Ｙ方向、つまり第２アンテナ素子３１５の長手方向に高周波信号電流が流れている。よって、第２アンテナ素子３１５には、高周波信号電流が流れている方向と直交する方向、つまりＹ方向に直線偏波を放射する。すなわち、第１アンテナ素子３１４と第２アンテナ素子３１５とは、９０度位相をずらして電波を放射する。
【００２２】
また、アンテナ素子３１３は、底面が底面導体部３１６に覆われ、優角側の側面が側面導体部３１７に覆われている。底面導体部３１６と、側面導体部３１７とは、アンテナ素子３１３が放射する電波を反射して、底面側方向や優角側方向に電波が放射されることを低減するとともに、上方や劣角側方向に電波が強くなるようにしている。その結果、第１アンテナ素子３１４は、図４に示すように、上方や劣角側方向に電波を放射して、無線タグ４２の読取領域を形成する。同様に、第２アンテナ素子３１５は、図５に示すように、上方や劣角側方向に電波を放射して、無線タグ４２の読取領域を形成する。すなわち、アンテナ素子３１３は、無線タグ４２がかざされると想定している領域に読取領域を形成することができる。
【００２３】
ここで、直線偏波が一方向から放射されている場合、無線タグ４２のアンテナ４２１（図９参照）向きによっては、無線タグ４２は、通信が行えないことがある。しかし、第１アンテナ素子３１４と第２アンテナ素子３１５とは、それぞれ略直交するように直線偏波を放射している。よって、第１アンテナ素子３１４と第２アンテナ素子３１５とは、通信精度を向上させることができる。
【００２４】
また、コードシンボル読取装置２０は、中空部３１２に配置される。すなわち、コードシンボル読取装置２０は、第１アンテナ素子３１４と第２アンテナ素子３１５とが形成する頂点の内側に配置される。そして、コードシンボル読取装置２０は、図２の正面や左側面等に向けてコードシンボル４１を読み取るレーザ光を照射する。また、アンテナ素子３１３は、図４及び図５に示す領域に読取領域を形成する。従って、コードシンボル読取装置２０と、無線タグ読取装置３０との読取領域は重なっていることから、物品４を一度かざすことにより両装置は読取処理を実行することができる。
【００２５】
次に、読取システム１が備える各装置のハードウェア構成について説明する。
【００２６】
図６は、ＰＯＳ端末１０のハードウェア構成の一例を示すブロック図である。ＰＯＳ端末１０は、制御部１０１、記憶部１０２、通信インタフェース１０３、第１接続インタフェース１０４、第２接続インタフェース１０５、キーボード１０６、第１表示部１０７、第２表示部１０８、印字部１０９、及びカードリーダライタ１１０を備える。
【００２７】
制御部１０１は、ＰＯＳ端末１０の全体の動作を制御し、ＰＯＳ端末１０が有する各種の機能を実現するコンピュータである。制御部１０１は、ＣＰＵ（Central  Processing  Unit）と、ＲＯＭ（Read  Only  Memory）と、ＲＡＭ（Random  Access  Memory）とを備える。ＣＰＵは、ＰＯＳ端末１０の動作を統括的に制御する。ＲＯＭは、各種プログラムやデータを記憶する記憶媒体である。ＲＡＭは、各種プログラムや各種データを一時的に記憶する記憶媒体である。そして、ＣＰＵは、ＲＡＭをワークエリア（作業領域）としてＲＯＭ又は記憶部１０２等に格納されたプログラムを実行する。
【００２８】
記憶部１０２は、ＨＤＤ（Hard  Disk  Drive）やＳＳＤ（Solid  State  Drive）などの記憶装置である。記憶部１０２は、制御プログラム１１１を記憶する。制御プログラム１１１は、オペレーティングシステムや、ＰＯＳ端末１０が備えている機能を発揮させるためのプログラムである。制御プログラム１１１には、本実施形態に係る特徴的な機能を発揮させるプログラムが含まれる。
【００２９】
通信インタフェース１０３は、ネットワークに接続された各種装置と通信するためのインタフェースである。
【００３０】
第１接続インタフェース１０４は、コードシンボル読取装置２０と通信するためのインタフェースである。第２接続インタフェース１０５は、無線タグ読取装置３０と通信するためのインタフェースである。
【００３１】
キーボード１０６は、ＰＯＳ端末１０を操作する各種キーを備える。
【００３２】
第１表示部１０７は、表示面上にタッチパネルが積層された液晶表示装置等である。第１表示部１０７は、例えば、店舗の店員に向けて各種画面を表示する。第２表示部１０８は、表示面上にタッチパネルが積層された液晶表示装置等である。第２表示部１０８は、例えば、顧客に向けて各種画面を表示する。
【００３３】
印字部１０９は、取引内容やポイント状況等が示されたレシート等を用紙に印字するプリンタである。カードリーダライタ１１０は、カードに付されている磁性体等の記憶媒体が記憶する情報の読み取り及び書き込みを実行する装置である。
【００３４】
図７は、コードシンボル読取装置２０のハードウェア構成の一例を示すブロック図である。コードシンボル読取装置２０は、制御部２０１、接続インタフェース２０２、及びスキャナ２０３を備える。
【００３５】
制御部２０１は、コードシンボル読取装置２０の全体の動作を制御し、コードシンボル読取装置２０が有する各種の機能を実現するコンピュータである。制御部２０１は、ＣＰＵと、ＲＯＭと、ＲＡＭとを備える。ＣＰＵは、コードシンボル読取装置２０の動作を統括的に制御する。ＲＯＭは、各種プログラムやデータを記憶する記憶媒体である。ＲＡＭは、各種プログラムや各種データを一時的に記憶する記憶媒体である。そして、ＣＰＵは、ＲＡＭをワークエリア（作業領域）としてＲＯＭ等の記憶媒体に格納されたプログラムを実行する。
【００３６】
接続インタフェース２０２は、ＰＯＳ端末１０と通信するためのインタフェースである。
【００３７】
スキャナ２０３は、光を照射して、反射した反射光を受光する。これにより、スキャナ２０３は、コードシンボル４１等を読み取る。
【００３８】
図８は、無線タグ読取装置３０のハードウェア構成の一例を示すブロック図である。無線タグ読取装置３０は、制御部３０１、接続インタフェース３０２、送信部３０３、受信部３０４、及びアンテナ３１を備える。さらに、アンテナ３１は、第１アンテナ素子３１４、第２アンテナ素子３１５、及び分岐部３１９を備える。
【００３９】
制御部３０１は、無線タグ読取装置３０の全体の動作を制御し、無線タグ読取装置３０が有する各種の機能を実現するコンピュータである。制御部３０１は、ＣＰＵと、ＲＯＭと、ＲＡＭとを備える。ＣＰＵは、無線タグ読取装置３０の動作を統括的に制御する。ＲＯＭは、各種プログラムやデータを記憶する記憶媒体である。ＲＡＭは、各種プログラムや各種データを一時的に記憶する記憶媒体である。そして、ＣＰＵは、ＲＡＭをワークエリア（作業領域）としてＲＯＭ等の記憶媒体に格納されたプログラムを実行する。
【００４０】
接続インタフェース３０２は、ＰＯＳ端末１０と通信するためのインタフェースである。
【００４１】
送信部３０３は、符号化回路、変調回路、フィルタ回路、及び増幅回路を備えている。送信部３０３は、これらの回路により制御部から出力されるデジタル信号を高周波のアナログ信号に変換する。そして、送信部３０３は、高周波のアナログ信号を出力する。
【００４２】
受信部３０４は、復調回路、フィルタ回路、及び復号化回路を備えている。受信部３０４は、これらの回路により第１アンテナ素子３１４、又は第２アンテナ素子３１５から出力される高周波のアナログ信号をデジタル信号に変換する。そして、受信部３０４は、デジタル信号を出力する。
【００４３】
分岐部３１９は、分岐回路の一例である。分岐部３１９は、第１アンテナ素子３１４と、第２アンテナ素子３１５との２方向に分岐した各方向に高周波のアナログ信号を出力する電子回路である。さらに詳しくは、分岐部３１９は、送信部３０３から入力された高周波のアナログ信号を第１アンテナ素子３１４と、第２アンテナ素子３１５とに出力する。また、分岐部３１９は、第１アンテナ素子３１４と、第２アンテナ素子３１５とから入力された高周波のアナログ信号を受信部３０４に出力する。
【００４４】
図９は、無線タグ４２のハードウェア構成の一例を示すブロック図である。無線タグ４２は、アンテナ４２１、送受信部４２２、及び記憶部４２３を備える。
【００４５】
アンテナ４２１は、電波等を送受信する。
【００４６】
送受信部４２２は、アンテナ４２１が受信した電波を用いて電磁誘導等により発電する。そして、送受信部４２２は、発電した電力を用いて読み出し処理や書き込み処理を実行する。
【００４７】
また、送受信部４２２は、無線タグ４２が記憶している情報を読み出す電波をアンテナ４２１が受信した場合に、記憶部４２３の情報をアンテナ４２１に送信させる。送受信部４２２は、無線タグ４２に情報を書き込む電波をアンテナ４２１が受信した場合に、受信した電波に含まれている情報を記憶部４２３に書き込む。
【００４８】
記憶部４２３は、電力が供給されなくても情報を記憶することができる不揮発性の書換え可能な記憶媒体である。記憶部４２３は、例えば無線タグ４２を識別可能な識別コードを記憶している。なお、記憶部４２３は、識別コードに代えて、又は識別コードと共に、任意の情報を記憶していてもよい。
【００４９】
次に、読取システム１が備える各装置の特徴的な機能について説明する。ここで、図１０は、読取システム１が備える各装置特徴的な機能構成の一例を示すブロック図である。
【００５０】
ＰＯＳ端末１０の制御部１０１は、記憶部１０２の制御プログラム１１１をＲＡＭに展開し、制御プログラム１１１に従って動作することで、図１０に示す各機能部をＲＡＭ上に生成する。具体的には、ＰＯＳ端末１０の制御部１０１は、機能部として、接続制御部１００１と、商品登録部１００２と、会計処理部１００３と、読取管理部１００４と、出力制御部１００５とを備える。
【００５１】
接続制御部１００１は、第１接続インタフェース１０４を制御して、コードシンボル読取装置２０との通信を実行する。また、接続制御部１００１は、第２接続インタフェース１０５を制御して、無線タグ読取装置３０との通信を実行する。
【００５２】
商品登録部１００２は、販売対象の商品の販売登録を制御する。商品登録部１００２は、商品を識別可能な商品コードが入力された場合に、商品コードにより特定される商品を販売登録する。
【００５３】
会計処理部１００３は、商品登録部１００２が販売登録した商品の会計処理を制御する。例えば、会計処理部１００３は、商品登録部１００２が販売登録した商品の合計価格を算出する。また、会計処理部１００３は、顧客から受領した金額から合計価格を減算してお釣りを算出する。
【００５４】
読取管理部１００４は、コードシンボル読取装置２０、及び無線タグ読取装置３０による読取処理を制御する。例えば、読取管理部１００４は、読取処理を開始させる操作等を受け付けた場合に、読取処理の開始を要求する読取開始要求を接続制御部１００１に送信させる。読取管理部１００４は、コードシンボル読取装置２０と、無線タグ読取装置３０との両方の読取装置に対して一度に読取開始要求を送信させてもよいし、両方の読取装置に対して別々に読取開始要求を送信させてもよい。読取管理部１００４は、例えば読取処理を終了させる操作や、読取処理の読取結果を受信した場合等に、読取処理の終了を要求する読取終了要求を接続制御部１００１に送信させる。
【００５５】
また、読取管理部１００４は、接続制御部１００１が受信した読取結果を用いて、かざされた物品４を特定する。例えば、読取管理部１００４は、コードシンボル読取装置２０の読取結果と、無線タグ読取装置３０の読取結果との何れか一方の読取結果に含まれている情報からかざされた物品４を特定する。または、読取管理部１００４は、コードシンボル読取装置２０の読取結果と、無線タグ読取装置３０の読取結果との両方に同一の情報が含まれていることを条件にかざされた物品４を特定してもよい。
【００５６】
また、読取管理部１００４は、コードシンボル読取装置２０の読取結果と、無線タグ読取装置３０の読取結果との複合により物品４をかざされた特定してもよい。例えば、読取対象の物品４が期限付きのクーポン券である場合に、コードシンボル読取装置２０の読取結果により期限を特定し、無線タグ読取装置３０の読取結果によりクーポン券の種別を特定してもよい。
【００５７】
出力制御部１００５は、読取結果を出力する。例えば、出力制御部１００５は、第１表示部１０７、及び第２表示部１０８を制御して、読取結果を表示出力する。または、出力制御部１００５は、印字部１０９を制御して、読取結果を印字出力する。
【００５８】
コードシンボル読取装置２０の制御部２０１は、ＲＯＭのプログラムをＲＡＭに展開し、プログラムに従って動作することで、図１０に示す各機能部をＲＡＭ上に生成する。具体的には、コードシンボル読取装置２０の制御部２０１は、機能部として、接続制御部２００１と、読取制御部２００２とを備える。
【００５９】
接続制御部２００１は、接続インタフェース２０２を制御して、ＰＯＳ端末１０との通信を実行する。
【００６０】
読取制御部２００２は、スキャナ２０３を制御して、読取処理を実行する。例えば、読取制御部２００２は、接続制御部２００１が読取開始要求を受信した場合に、読取処理を開始する。読取制御部２００２は、コードシンボル４１を読み取った場合に、読み取ったコードシンボル４１に含まれている情報を含む読取結果を接続制御部２００１に送信させる。読取制御部２００２は、接続制御部２００１が読取終了要求を受信した場合に、読取処理を終了する。
【００６１】
無線タグ読取装置３０の制御部３０１は、ＲＯＭのプログラムをＲＡＭに展開し、プログラムに従って動作することで、図１０に示す各機能部をＲＡＭ上に生成する。具体的には、無線タグ読取装置３０の制御部３０１は、機能部として、接続制御部３００１と、読取制御部３００２とを備える。
【００６２】
接続制御部３００１は、接続インタフェース３０２を制御して、ＰＯＳ端末１０との通信を実行する。
【００６３】
読取制御部３００２は、送信部３０３、受信部３０４、及びアンテナ３１を制御して、読取処理を実行する。例えば、読取制御部３００２は、接続制御部３００１が読取開始要求を受信した場合に、読取処理を開始する。
【００６４】
読取制御部３００２は、読取処理が終了した場合に、読み取った情報を含む読取結果を接続制御部３００１に送信させる。読取制御部３００２は、接続制御部３００１が読取終了要求を受信した場合に、読取処理を終了する。
【００６５】
以上のように、本実施形態に係る無線タグ読取装置３０のアンテナ３１によれば、アンテナ素子３１３は、一の頂点から第１アンテナ素子３１４と、第２アンテナ素子３１５との２方向に分岐している。すなわち、無線タグ４２をかざす操作者が無線タグ４２をかざす付近にはアンテナ素子３１３が配置されていない。さらに、アンテナ素子３１３の底面は、導体により形成された底面導体部３１６に覆われている。また、アンテナ素子３１３の側面の一部は、側面導体部３１７に覆われている。よって、アンテナ３１は、第１アンテナ素子３１４と、第２アンテナ素子３１５との内側上方に電波強度の高い読取領域を形成している。従って、本実施形態に係る無線タグ読取装置３０のアンテナ３１は、電波の放射特性の悪化を軽減することができる。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６７】
また、上記実施形態では、第２の読取装置の一例としてコードシンボル読取装置２０の場合を例に説明した。しなしながら、第２の読取装置は、コードシンボル読取装置２０に限らず、他の読取装置であってもよい。例えば、第２の読取装置は、第１の読取装置である無線タグ読取装置３０とは異なる周波数帯に対応した無線タグ４２を読み取る読取装置であってもよい。
【００６８】
また、上記実施形態では、第１アンテナ素子３１４と、第２アンテナ素子３１５とは一定になっている。しかしながら、第１アンテナ素子３１４と、第２アンテナ素子３１５とは別々のアンテナ素子であってもよい。
【００６９】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００７０】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【００７１】
１  読取システム
１０  ＰＯＳ端末
２０  コードシンボル読取装置
３０  無線タグ読取装置
３１  アンテナ
３１２  中空部
３１３  アンテナ素子
３１４  第１アンテナ素子
３１５  第２アンテナ素子
３１６  底面導体部
３１７  側面導体部
３１９  分岐部
【先行技術文献】
【特許文献】
【００７２】
【特許文献１】特開２００６−２７６９９７号公報
【図１】
2019140549.tif 000003
【図２】
2019140549.tif 000004
【図３】
2019140549.tif 000005
【図４】
2019140549.tif 000006
【図５】
2019140549.tif 000007
【図６】
2019140549.tif 000008
【図７】
2019140549.tif 000009
【図８】
2019140549.tif 000010
【図９】
2019140549.tif 000011
【図１０】
2019140549.tif 000012